(57)【特許請求の範囲】
【請求項１】
身につけた者の探索を可能にするための衣類の販売方法であって、
前記衣類には、当該衣類の個体を個別に識別可能な符号であって身につけた者の探索を目的とする探索符号が可視的手段によって記録されており、
前記探索符号は、本衣類を販売した者の販売者コードまたは本衣類の商品コードを含み、
本販売方法は、
前記衣類を顧客に引渡す第１ステップと、
前記第１ステップに付随して、前記探索符号を含む情報を前記衣類とは別に顧客に引渡すステップと
を含むことを特徴とする探索を容易にする衣類の販売方法。
【発明の詳細な説明】
【技術分野】
【０００１】
本発明は、装身者を探索する探索符号付き衣類の販売方法に関する。
【背景技術】
【０００２】
社会の進展により人々の寿命が永くなり、そのことに伴って社会の高齢化が進んでいる。その中で、アルツハイマー病などの事情により心神がもう弱して、意図せず彷徨する者が増えている。かかる彷徨者が探索者の探索可能範囲を越えて遠距離移動してしまうと、探索が困難になり彷徨者、探索者の両者に不幸な結果をもたらすことがある。
このことは、探索せざるを得ない者にとって大きな負担となり、安心して仕事に集中することを阻害するなどの弊害を生じ、このことは探索者への弊害に限定されず社会全体のの損失にもなっている。
特許文献１乃至４には商品の販売方法が記載されている。しかしながら販売された物品からそれを装身する者を探索しようとする思想は開示されていない。
【先行技術文献】
【特許文献】
【０００３】
【特許文献１】特開２００９−２１１６６５号公報
【特許文献２】特開２０１０−２０５２９４号公報
【特許文献３】特開２０１１−２４２８１７号公報
【特許文献４】特開２０１２−１８１８７２号公報
【発明の概要】
【発明が解決しようとする課題】
【０００４】
もし、身の回りにいる者が彷徨することが事前に分かっている場合であれば、相応の対策を講じて彷徨を防止することも考えられる。しかし、昨今の状況では健常と思われていた者がある日突然に彷徨者になることも多々ある。また、客観的には彷徨のおそれが感じられる場合であっても、当の本人はその主観において自分はまだそのようになることはないと信じている者が殆どであり、周囲から彷徨対策を講じられることに反発し拒絶する場合が多い。また、彷徨対策の多くが対象者の尊厳を傷つけることも考えられる。
例えば、彷徨の可能性のある者に、身元を示すカードのような物を常時携帯させる方法も考えられるが、身元カードのような物を常時携帯するのは面倒で忘れることも考えられる。また、周囲の家人が就寝中の夜中に彷徨を開始することも多々有り、その場合は、パジャマなどの就寝着のままで外出することが多くあり、身元カードを所持して彷徨を開始する可能性は低いと言える。
【０００５】
以上の背景から、本発明者は、健常と思われていた者がある日突然に彷徨者となった場合にも対応できる探索技術を提供することが課題であると認識した。また、このような課題は、彷徨者のみに限られず他の種類の探索についても生じうる。例えば、近年急激に増加している身許不明の交通事故被害者などの探索についても生じうる。
【０００６】
本発明は、上記事情に鑑みなされたもので、装身物品を装身した例えば彷徨者の探索を容易にする技術を提供することを通じて、装身物品の購入者や装身者が意識せずとも自然に探索情報が蓄積されて、彷徨者の探索にかかる探索者の負担を軽減し、ひいては社会全体の負担を軽減することを目的とする。
【課題を解決するための手段】
【０００７】
本発明のある態様は探索符号付き衣類の販売方法である。当該方法は、販売用商品の衣類の個体を個別に識別可能な探索符号を生成するステップと、生成した探索符号を対応する衣類に記録するステップと、探索符号を含む情報をデータベースに記録するステップと、探索符号を含む情報を顧客に引渡すために、探索符号を含む情報を記録媒体に記録するステップと、探索符号を含む情報を記録した衣類を顧客に販売するステップと、販売と付随して記録媒体に記録した情報を顧客に引渡すステップと、を具備する。
本発明の別の態様は探索符号付き衣類を用いてする探索方法である。当該方法は、衣類の装身者を探索するために個体を個別に識別可能な探索符号を含む情報が記録された衣類を用いてする探索方法であって、衣類に探索符号を含む第１の探索表示符号を記録するステップと、記録媒体に探索符号を含む第２の探索表示符号を記録するステップと、衣類から第１の探索表示符号を読み取るステップと、記録媒体から第２の探索表示符号を読み取るステップと、第１の探索表示符号を探索用データベースに記録するか又は第１の探索表示符号を用いて探索用データベースを検索するステップと、探索符号を含む第２の探索表示符号を用いて探索用データベースを検索するか又は第２の探索表示符号を探索用データベースに記録するステップと、を具備する。
【発明の効果】
【０００８】
本発明によれば、例えば彷徨者の探索を容易にする技術を提供することを通じて、装身商品の購入者や装身者が意識せずとも自然に探索情報が蓄積されて、彷徨者の探索にかかる探索者の負担を軽減し、ひいては社会全体の負担を軽減することができる。
【図面の簡単な説明】
【０００９】
【図１】実施形態における探索符号付き商品の一例を示す平面図である。
【図２】実施形態における探索符号付き商品の探索符号付き商品の別例を示す平面図である。
【図３】実施形態における探索符号付き商品の販売方法の一例を示すブロック図である。
【図４】実施形態における探索符号を生成して記録する過程の一例を示すブロック図である。
【図５】実施形態における商品の製造と流通と販売の流れの一例を示すブロック図である。
【図６】実施形態における探索符号付き商品の販売システムの一例を示すブロック図である。
【図７】実施形態における探索符号付き商品を用いてする探索方法の一例を示すブロック図である。
【発明を実施するための形態】
【００１０】
以下、図面を参照して発明を実施するための形態について説明する。各図面において、同一構成部分には同一符号を付し、重複した説明を省略する場合がある。各図面における部材の寸法は、理解を容易にするために適宜拡大、縮小して示される。また、各図面において実施形態を説明する上で重要ではない部材の一部は省略して表示することがある。
【００１１】
以下で説明する実施形態に係る探索符号付き衣類の販売方法は、装身者が身に付ける、例えば下履きなどの肌着を含む日常着用される衣類を販売する方法として用いられる。
【００１２】
（探索符号付き商品）
図１及び図２は、本発明の実施の形態にかかる探索符号付き商品１０を示す平面図である。探索符号付き商品１０は、衣類の一例として男子用の下履きを示す。図１は、探索符号付き商品１０の一部に一体に設けた記録エリア３０に探索表示符号２０が付着され表示されている。図２は、探索符号付き商品１０に固定された記録タグ４０に、探索表示符号２０が付着され表示されている。記録タグ４０は、容易に分離しないように、例えば縫製によって探索符号付き商品１０に固定される。探索表示符号２０は、例えば印刷や刺繍によって記録エリア３０又は記録タグ４０に表示されている。探索表示符号２０の表示は、容易に劣化しないように、耐水性、耐摩耗性、難退色性、抗菌性を具備することが好ましい。探索表示符号２０の表示は、一例として、１０００時間水中に浸漬した後でも判読可能な耐久性能を具備することが好ましい。
【００１３】
探索表示符号２０は、その表示位置に特別の制限はない。探索表示符号２０は、衣類の表側（外側）に表示される場合は、判読が容易で、脱ぎ着する際の摩耗が少ない点で好ましい。探索表示符号２０は、衣類の裏側（内側）に表示される場合は、洗濯などの際の摩耗が少ない点で好ましい。
【００１４】
探索表示符号２０は、探索符号２を含んでおり、探索符号２を単独、探索符号２に他の情報を付加したもの、またはこれらに冗長符号を付加したものを用いることができる。探索表示符号２０は、それが探索符号を含むことをアピール表示する記号マークが含められてもよい。探索符号２の内容については後で説明する。
【００１５】
（記録媒体）
図１及び図２において、探索符号付き商品１０には、探索符号２０を含む情報が記録された記録媒体４２が付属している。記録媒体４２は、例えば略矩形の紙製の札を用いることができる。探索符号２０を含む情報は、例えば印刷によって記録媒体４２に付着される。記録媒体４２の表示は、容易に劣化しないように、耐水性、耐摩耗性、難退色性、抗菌性を具備することが好ましい。記録媒体４２の表示は、一例として、１時間水中に浸漬した後でも判読可能な耐久性能を有することが好ましい。
【００１６】
記録媒体４２は、人間が知覚できない方法によって情報を記録する媒体であってもよい。記録媒体４２は、例えばメモリなどの電磁的な方法で情報を記録する媒体を含んでもよい。
【００１７】
記録媒体４２に記録される媒体情報４６は、探索符号２を含んでおり、探索符号２を単独、探索符号２に他の情報を付加したもの、またはこれらに冗長符号を付加したものを用いることができる。媒体情報４６は、それが探索符号２を含むことをアピール表示する記号マークが含められてもよい。媒体情報４６は、最終的に探索符号２が読み取れるものであれば、探索表示符号２０と同じ、又は探索表示符号２０と異なっていてもよい。
【００１８】
記録媒体４２は、個別の探索符号付き商品１０ごとに形成されて、その販売の際に探索符号付き商品１０と併せて物理的に引渡しされてもよい。記録媒体４２は、個別の探索符号付き商品１０とは別に準備され、あるいは顧客自身によって準備されてもよい。
【００１９】
（結束手段）
記録媒体４２は、分離容易な結束手段によって探索符号付き商品１０に結束される。本実施の形態では結束手段に樹脂製の細線を含む環状のバンドなどのバインダー４４が用いられる。樹脂製の細線は安価に製造できる点で好ましい。結束手段は例えば繊維を含む細線であってもよい。
【００２０】
（販売方法のブロック図）
図３は、実施形態の一例における探索符号付き商品１０の販売方法１００を示すブロック図である。販売方法１００は、探索符号２を生成するステップ１０２と、探索符号２を商品に記録するステップ１０４と、探索符号２を含む情報をデータベースＤＢ１に記録するステップ１０６と、探索符号２を含む情報を顧客に引渡すために記録媒体に記録するステップ１０８と、商品１０を顧客に引渡すステップ１１０と、記録媒体４２に記録した情報を顧客に引渡すステップ１１２と、を含む。図３では、理解を容易にするため、矢印により各ステップの順序の一例を示しているが、本発明はこれらのステップの順序が前後して実施されてもよい。
【００２１】
（探索符号を生成するステップ）
探索符号２を生成するステップ１０２について説明する。図４は、探索符号２を生成して探索表示符号２０及び記録媒体４２に記録する媒体情報４６を生成するステップ１０２を示すブロック図である。
【００２２】
（探索符号）
探索符号２は、以下に説明する原符号４２２を用いることができる。
まず、過程４０２において原符号４２２が生成される。原符号４２２は、探索符号付き商品１０を個体ごとに識別できるものであれば特別の制限はない。換言すると、原符号４２２は、探索符号付き商品１０の個体ごとに他の個体と異なる符号であってもよく、他の探索符号と重複を生じない絶対符号とすることができる。原符号４２２は、例えば数字を含む文字、記号、図形またはこれらを組み合わせて用いることができる。パーソナルコンピュータで標準的に処理できる符号のみから構成することができる。この場合はパーソナルコンピュータで標準的に処理できる点で好ましい。
【００２３】
原符号４２２は、文字と記号のみから構成すると、読みやすい。一例として、アルファベット大文字と小文字と数字とを、一例として８桁組み合わせると６２の８乗個で約２００兆個の探索符号を生成可能である。
【００２４】
原符号４２２は、コンピューターに所定の演算をさせて生成することができる。探索符号２は、例えば、予め商品の販売者に交付された販売者コードと対象の商品に関連する商品コードとをコンピューターに入力し、コンピュータで発生させた個別の個体毎に異なった符号と組み合わせて生成することができる。
【００２５】
一例として、複数の販売者がアクセス可能なネットワークに基幹コンピューターを接続し、基幹コンピューターによって原符号４２２を生成することができる。このように構成すると、販売者コードや商品コードを含まない原符号４２２を生成することも可能で、その分探索表示符号２０の桁数を減らすることができる。
【００２６】
探索符号２は、以下に説明する付加符号４２４を用いることができる。
探索符号付き商品１０が永年の使用により磨耗し、その探索表示符号２０が劣化して誤読される懸念がある。原符号４２２に誤り検出符号や誤り訂正符号が付加されて付加符号４２４が生成されてもよい。誤り検出符号を有する場合は誤読を検出することができ、誤り訂正符号を有する場合は表示の一部が欠落しても判別できる。付加符号４２４は、例えば所定の符号間距離を確保する符号を用いてもよい。特に、付加符号４２４は、例えばハミング距離が２から６の範囲の符号を用いてもよい。強力な誤り訂正能力を発揮しうる。付加符号４２４は、一例として過程４０６において原符号４２２に応じて出力される。
【００２７】
探索符号２は、原符号４２２または付加符号４２４が過程４０８において探索表示符号２０に変換される。探索表示符号２０は探索符号２を表示するものであってもよい。探索表示符号２０は、探索符号２に基づいて生成された光学的読み取り手段によって読み取り可能な図形符号４２６を含んでもよい。探索表示符号２０は探索符号２と図形符号４２６とを重ねて含んでもよい。図形符号４２６は、探索符号２に基づいて、例えば一次元バーコード、二次元バーコート、カラーバーコードなどのバーコードを含んでもよい。バーコードを含むことによってバーコードリーダーを用いて容易に読み取れる。探索表示符号２０はホログラム画像を含んでもよい。当該ホログラム画像は、例えば探索符号２に基づいて生成することができる。
【００２８】
（探索符号を商品に記録するステップ）
探索符号２を商品１０に記録するステップ１０４について説明する。探索表示符号２０は対象の商品１０に記録される。探索表示符号２０は、ステップ１０４において、探索表示符号２０が対象の商品１０の記録エリア３０または記録タグ４０に、例えば印刷や刺繍によって表示して記録される。予め記録タグ４０に探索表示符号２０を記録した後に対象の商品に結合しても良い。
【００２９】
図５は、対象の商品１０の製造と流通と販売の流れの一例３００を示すブロック図である。対象の商品１０は、その商品を製造するステップ３０２において製造され、対象の商品１０を輸送するステップ３０４において輸送され、対象の商品１０を引渡すステップ３０６において顧客に引渡される。
【００３０】
ステップ１０４は、対象の商品を製造するステップ３０２において実行されてもよい。この場合、ステップ１０４にかかる手間を抑制することができる。ステップ１０４は、対象の商品を製造するステップ３０２の後であって、対象の商品を顧客に引渡すステップ３０６の前において実行されてもよい。この場合、対象の商品を製造するステップ３０２が探索符号２と切り離して実行できるから、例えば対象の商品を輸入する場合など広範な事業者に製造させることが容易になる。
【００３１】
（探索符号を含む情報をデータベースに記録するステップ）
探索符号２を含む情報をデータベースに記録するステップ１０６について説明する。探索符号２は所定の付加情報と共にデータベース情報４８に変換されて、データベースに記録される。特に、探索符号２を含むデータベース情報４８は、ステップ１０６において、検索可能に情報を蓄積する手段の一種であるコンピュータで利用できるデータベースＤＢ１に記録される。データベース情報４８は探索符号２の他に商品情報や登録日付、商品の製造情報などを付加することができる。データベースＤＢ１は、専ら販売者に支配される販売データベースＤＢ２、その販売者の属する業界団体に支配される上位データベースＤＢ３、及び行政機関またはその外郭団体あるいはこれらに類する団体に支配される基幹データベースＤＢ４の少なくとも一つを含み、二以上のデータベースに重複して記録されてよい。
【００３２】
ステップ１０６は、ステップ１０２の後であって、商品１０が製造される前、商品１０が販売される前、および商品１０が販売された後の少なくともいずれかの時点で実行することができる。ステップ１０６は、商品１０を生産する場所に置かれる入出力端末から、当該生産に関連する者が行うことができる。あるいは、商品１０を販売する場所に置かれる入出力端末から、当該販売に関連する者が行うことができる。探索符号２を含むデータベース情報４８をデータベースＤＢ１に記録することにより、探索符号２をキーにして、その商品１０を身に着ける者の関連情報を検索することができる。販売データベースＤＢ２に加えて上位データベースＤＢ３や基幹データベースＤＢ４に記録しておくことで、業界の上位団体や、警察などの公的機関を含めた広い範囲で探索することが可能になる。
【００３３】
例えば、身許不明の交通事故被害者などの探索に利用するために、探索符号２を含む情報に顧客の個人情報を併せてデータベースＤＢ１に登録することができる。データベースＤＢ１に登録する個人情報には、一例として、顧客の氏名、住所、電話番号、メールアドレス、免許証番号などの免許証記載情報、及び住基番号など住基カード記載情報の少なくともいずれかを含むめることができる。この個人情報の登録は、商品１０が販売される前、および商品１０が販売された後にすることができる。
【００３４】
（探索符号を含む情報を記録媒体に記録するステップ）
探索符号２を含む情報を記録媒体４２に記録するステップ１０８について説明する。探索符号２を含む情報を記録媒体４２に記録することによって、記録媒体４２に記録された探索符号２を含む情報を顧客に引き渡すことが容易になる。記録媒体４２は矩形のタグであってもよく、メモリチップを含む電子タグであってもよい。
【００３５】
探索符号２を含む情報を記録媒体４２に記録するステップ１０８は、探索符号２が生成された後であって、商品１０が製造される前、商品１０が販売される前、および商品１０が販売された後の少なくともいずれかの時点で実行することができる。探索符号２を含む情報を記録媒体４２に記録するステップは、商品１０を生産する場所において当該生産に関連する者が行うことができる。あるいは、商品１０を販売する場所において当該販売に関連する者が行うことができる。
【００３６】
探索符号２を含む情報を記録媒体４２に記録するステップ１０８は、記録媒体４２に印刷手段やメモリ書き込み手段などの記録手段によって実行することができる。
【００３７】
（タグボックス）
記録媒体４２が紙製の札などである場合に、顧客に記録媒体４２を集積する箱などの容器であるタグボックスを保持させることができる。この場合は、顧客は記録媒体４２をタグボックスに投入して集積する。そして、探索の必要が生じた時点で、タグボックスに集積された記録媒体４２のすべて又は一部に記録された媒体情報４６をデータベースＤＢ１に登録することができる。例えば、残存衣類の探索表示符号２０を読み取り、残存衣類の分を除去した残りの媒体情報４６をデータベースＤＢ１に登録することができる。記録媒体４２をタグボックスに集積する方法は低コストで顧客の手間が最小限である点で優れている。なお、タグボックスは世帯ごとに設置してもよく、家族ごとに設置してもよく、個人ごとに設置してもよい。タグボックスは、その規模が大きければ一人あたりのメンテナンスの手間が小さくなり、その規模が小さければ探索が容易になる。
【００３８】
（商品を顧客に引き渡すステップ）
商品を販売することには商品を顧客に引渡すことが含まれる。探索符号２を含む情報を記録した商品１０を顧客に販売して引き渡すステップ１１０について説明する。ステップ１１０は、例えば、商品１０が販売される際に販売される場所で販売に関連する者によって行うことができる。通信販売の場合は、輸送業者によって行うことができる。プレゼントのように第三者に引き渡すことも顧客に引き渡すことに含まれる。探索符号２を含む情報を記録した商品１０を顧客に引き渡すことによって、顧客は、例えば顧客の家族等にその衣類を着用できる状態に置くことができ、その家族等はその商品１０を着用することができる。
【００３９】
（記録媒体に記録した情報を顧客に引渡すステップ）
記録媒体４２に記録した媒体情報４６を顧客に引渡すステップ１１２について説明する。ステップ１１２は、ステップ１０８で媒体情報４６が記録された記録媒体４２を、商品１０が引渡されるステップ１１０の前、ステップ１１０と同時、及びステップ１１０の後のいずれかのタイミングで顧客に引渡すことによって実行することができる。
【００４０】
記録媒体４２が電磁的記録媒体である場合は、商品１０の販売に付随して、以下の方法によって媒体情報４６を顧客に引渡すことができる。
（１）媒体情報４６を直接的に電磁的記録媒体に書き込んで記録する。
（２）媒体情報４６を、ワイヤード又はネットワークを利用して顧客が指定する電磁的記録媒体に送信して記録する。
（３）媒体情報４６を、顧客が指定する携帯端末の情報読み取り機能を介して当該携帯端末に接続される電磁的記録媒体に記録する。当該情報読み取り機能としては、一例として、キーボード入力機能、撮像機能、バーコード読み取り機能、ＯＣＲ（光学式文字読み取り）機能、又はフェリカ技術やブルーツース技術などの短距離無線通信機能を、単独にあるいは組み合わせて用いることができる。
（４）媒体情報４６を、これらのいずれかの手段を組み合わせて併用して電磁的記録媒体に記録する。
【００４１】
（探索符号付き商品の販売システム）
次に、探索符号付き衣類の販売システム６００について説明する。図６は探索符号付き商品の販売システム６００の一例を示すブロック図である。
販売システム６００は、探索符号２を生成する手段６２０と、探索符号２を商品１０に記録する手段６４０と、探索符号２を含む情報をデータベースＤＢ１に記録する手段６６０と、探索符号２を含む情報を顧客に引渡すために探索符号２を含む情報を記録媒体４２に記録する手段６８０と、手段６２０、手段６４０、手段６６０、及び手段６８０の少なくともいずれかの間で相互に情報を受け渡す受渡手段６９０と、を含む。
【００４２】
（探索符号を生成する手段）
手段６２０は、コンピューター６２２を含む。コンピュータ６２２は所定の入力情報に基づいて所定の演算をすることによって、探索符号２を生成することができる。生成された探索符号２はコンピュータ６２２に含まれる所定の記憶手段６２４に記憶される。
【００４３】
（探索符号を商品に記録する手段）
手段６４０は、コンピューター６４４に制御される印刷手段６４２を含む。コンピューター６４４が記憶手段６２４に記憶される探索符号２に基づいて印刷手段６４２を制御することによって、印刷手段６４２は商品１０の記録エリア３０にインク６４６を吐出して探索表示符号２０を印刷することができる。
【００４４】
（探索符号を含む情報をデータベースに記録する手段）
手段６６０は、ＤＢ１を制御するコンピューター６６２を含む。コンピューター６６２は記憶手段６２４に記憶される探索符号２をＤＢ１に記録することができる。
【００４５】
（探索符号を含む情報を記録媒体に記録する手段）
記録媒体４２が、紙製の札などである場合に、手段６８０は、コンピューター６８４に制御される印刷手段６８２を含む。コンピューター６８４が記憶手段６２４に記憶される探索符号２に基づいて印刷手段６８２を制御することによって、印刷手段６８２は記録媒体４２にインク６８６を吐出して媒体情報４６を印刷することができる。
記録媒体４２が、電磁的記録媒体である場合に、手段６８０は、コンピューター６８４に制御される電磁的記録媒体書込み手段６８６を含む。コンピューター６８４が記憶手段６２４に記憶される探索符号２に基づいて電磁的記録媒体書込み手段６８６を制御することによって、電磁的記録媒体書込み手段６８６は記録媒体４２に媒体情報４６を記録することができる。
【００４６】
手段６２０と、手段６４０と、手段６６０と、手段６８０と、とは、それぞれ例えばネットワークなどの受渡手段６９０により論理的に接続される。特に、コンピューター６２２、６４４、６６２、６８４は、それぞれ受渡手段６９０によりＤＢ１と論理的に接続される。また、コンピューター６２２、６４４、６６２、６８４は、一部が共通のコンピューターであってもよく、それぞれ独立したコンピューターであってもよい。
【００４７】
（探索方法）
商品１０の装身者を探索するために探索符号２を含む情報が記録された衣類を用いてする探索方法７００について説明する。図７は、探索符号２が記録された商品１０を用いてする探索方法７００の一例を示すブロック図である。探索方法７００は、商品１０に探索符号２を含む第１の探索表示符号２２を記録するステップ７１２と、記録媒体４２に探索符号２を含む第２の探索表示符号２４を記録するステップ７１４と、商品１０から第１の探索表示符号２２を読み取るステップ７１６と、記録媒体４２から第２の探索表示符号２４を読み取るステップ７１８と、第１の探索表示符号２２を探索用のデータベースＤＢ１に記録するか又は第１の探索表示符号２２を用いて探索用のデータベースＤＢ１を検索するステップ７２０と、第２の探索表示符号２４を用いて探索用のデータベースＤＢ１を検索するか又は第２の探索表示符号２４を探索用のデータベースＤＢ１に記録するステップ７２２と、を含むことができる。図７では、理解を容易にするため、矢印により各ステップの順序の一例を示しているが、本発明はこれらのステップの順序が前後して実施されてもよい。
【００４８】
具体的に説明する。上述したように、商品１０に探索符号２を含む第１の探索表示符号２２が記録され（ステップ７１２）、記録媒体４２に探索符号２を含む第２の探索表示符号２４が記録される（ステップ７１４）。このような商品１０を着用して彷徨し探索されるべき被探索者があって、被探索者が救護されて行政機関等に委ねられた際に、行政機関等は被探索者の商品１０の第１の探索表示符号２２を検知して読み取る（ステップ７１６）。そして、第１の探索表示符号２２をキーにして基幹データベースＤＢ４を検索することができる。このような検索が直ちにヒットしない場合でも、基幹データベースＤＢ４および関連するデータベース上に当該第１の探索表示符号２２が被探索中であることのステータスを記録することができる（ステップ７２０）。
【００４９】
一方、所在不明の被探索者を探索すべき探索者は、被探索者が着用したであろう商品１０に関する第２の探索表示符号２４を記録媒体４２から読み取って（ステップ７１８）、例えば、行政機関等に申告することによって、第２の探索表示符号２４をキーにして基幹データベースＤＢ４を検索することができる。このような申告は、例えば記録媒体４２を行政機関等に提出して行うことができる。行政機関等は記録媒体４２から第２の探索表示符号２４探索表示符号２０を読み取ることができる。このような検索が直ちにヒットしない場合でも、基幹データベースＤＢ４および関連するデータベース上に当該第２の探索表示符号２４が探索中であることのステータスを記録することができる（ステップ７２２）。ステップ７２０またはステップ７２２によって検索がヒットすることによって被探索者が探索され探索者とマッチングされる。
【００５０】
以上、実施の形態に係る販売方法と販売システムと探索方法について説明した。これらは例示であり、それらの各構成要素の組み合わせにいろいろな展開が可能なこと、またそうした構成も本発明の範囲にあることは当業者に理解されるところである。
【００５１】
上記の説明では、探索符号を含む情報が商品または商品のタグに印刷など可視的手段によって記録される場合について説明したが、これに限られない。商品または商品のタグに人間に知覚できない方法によって記録してもよい。例えば、商品または商品のタグがメモリなどの電磁的な方法で情報を記録する媒体を含んでもよい。
【００５２】
実施例では、彷徨者の探索について説明したが、それに限られず他の種類の探索についても適用しうる。例えば、近年急激に増加している身許不明の交通事故被害者や事件被害者の探索についても適用しうる。
【符号の説明】
【００５３】
２  探索符号、
１０  探索符号付き商品、
２０  探索表示符号、
３０  記録エリア、
４０  記録タグ、
４２  記録媒体、
４４  バインダー、
４６  媒体情報、
４８  データベース情報、
１００  販売方法、
１０２  探索符号を生成するステップ、
１０４  探索符号を商品に記録するステップ、
１０６  探索符号をデータベースに記録するステップ、
１０８  探索符号を記録媒体に記録するステップ、
１１０  商品を顧客に引渡すステップ、
１１２  記録媒体に記録した情報を顧客に引渡すステップ、
２００  商品の販売システム、
２０２  探索符号を生成する手段、
２０４  探索符号を商品に記録する手段、
２０６  探索符号をデータベースに記録する手段、
２０８  探索符号を記録媒体に記録する手段、
３０２  商品を製造するステップ、
３０４  商品を輸送するステップ
３０６  商品を引渡すステップ、
４２２  原符号、
４２４  付加符号、
４２６  バーコード。
【図１】
0006705619.tif 000002
【図２】
0006705619.tif 000003
【図３】
0006705619.tif 000004
【図４】
0006705619.tif 000005
【図５】
0006705619.tif 000006
【図６】
0006705619.tif 000007
【図７】
0006705619.tif 000008